(57)【特許請求の範囲】
【請求項１】
流体である暖房循環熱媒を用いて室内の床を暖房可能な第１暖房装置と、
温風を用いて前記室内を暖房可能な第２暖房装置と、
前記第１暖房装置の単独作動を操作可能な第１コントローラと、
前記第２暖房装置の単独作動を操作可能な第２コントローラと、を有するとともに、
前記第１暖房装置は、前記床に配置される第１放熱体と、屋外に配置されて燃焼により前記暖房循環熱媒を加熱する燃焼熱源機と、にて構成されており、
前記第２暖房装置は、前記室内に配置される第２放熱体と、屋外に配置される電気ヒートポンプと、にて構成されており、
前記燃焼熱源機には、前記燃焼熱源機の動作を制御可能な第１制御手段が設けられており、
前記第２放熱体には、前記第２暖房装置の動作を制御可能な第２制御手段が設けられている、暖房システムに対して、
第１信号線を介して前記第１制御手段に接続されたシステム制御装置と、
第４信号線を介して前記システム制御装置に接続された補助コントローラと、
屋外の気温を検出可能な外気温検出手段と、を追加した暖房システムであって、
前記第１コントローラには、前記システム制御装置が第２信号線にて接続あるいは前記第１制御手段が第３信号線にて接続されており、
前記システム制御装置は、前記第１信号線を介して前記第１制御手段からの情報あるいは前記第２信号線を介して前記第１コントローラからの情報を取得可能であり、取得した情報に基づいて、前記第４信号線及び前記補助コントローラを介して前記第２制御手段に情報を送信することで、前記第２暖房装置の動作を制御可能であり、
前記システム制御装置は、前記外気温検出手段を用いて検出した屋外の気温が、前記第２暖房装置の効率が所定効率以下となる所定温度以下である場合、前記第２暖房装置の動作を停止する、
暖房システム。
【請求項２】
流体である暖房循環熱媒を用いて室内の床を暖房可能な第１暖房装置と、
温風を用いて前記室内を暖房可能な第２暖房装置と、
前記第１暖房装置の単独作動を操作可能な第１コントローラと、
前記第２暖房装置の単独作動を操作可能な第２コントローラと、を有するとともに、
前記第１暖房装置は、前記床に配置される第１放熱体と、屋外に配置されて燃焼により前記暖房循環熱媒を加熱する燃焼熱源機と、にて構成されており、
前記第２暖房装置は、前記室内に配置される第２放熱体と、屋外に配置される電気ヒートポンプと、にて構成されており、
前記燃焼熱源機には、前記燃焼熱源機の動作を制御可能な第１制御手段が設けられており、
前記第２放熱体には、前記第２暖房装置の動作を制御可能な第２制御手段が設けられている、暖房システムに対して、
第１信号線を介して前記第１制御手段に接続されているとともに第５信号線を介して前記第２制御手段に接続されたシステム制御装置と、
屋外の気温を検出可能な外気温検出手段と、を追加した暖房システムであって、
前記第１コントローラには、前記システム制御装置が第２信号線にて接続あるいは前記第１制御手段が第３信号線にて接続されており、
前記システム制御装置は、前記第１信号線を介して前記第１制御手段からの情報あるいは前記第２信号線を介して前記第１コントローラからの情報を取得可能であり、取得した情報に基づいて、前記第５信号線を介して前記第２制御手段に情報を送信することで、前記第２暖房装置の動作を制御可能であり、
前記システム制御装置は、前記外気温検出手段を用いて検出した屋外の気温が、前記第２暖房装置の効率が所定効率以下となる所定温度以下である場合、前記第２暖房装置の動作を停止する、
暖房システム。
【請求項３】
流体である暖房循環熱媒を用いて室内の床を暖房可能な第１暖房装置と、
温風を用いて前記室内を暖房可能な第２暖房装置と、
前記第１暖房装置の単独作動を操作可能な第１コントローラと、
前記第２暖房装置の単独作動を操作可能な第２コントローラと、を有するとともに、
前記第１暖房装置は、前記床に配置される第１放熱体と、屋外に配置されて燃焼により前記暖房循環熱媒を加熱する燃焼熱源機と、にて構成されており、
前記第２暖房装置は、前記室内に配置される第２放熱体と、屋外に配置される電気ヒートポンプと、にて構成されており、
前記燃焼熱源機には、前記燃焼熱源機の動作を制御可能な第１制御手段が設けられており、
前記第２放熱体には、前記第２暖房装置の動作を制御可能な第２制御手段が設けられており、
前記電気ヒートポンプには、前記電気ヒートポンプの動作を制御可能なヒートポンプ制御手段が設けられている、暖房システムに対して、
第１信号線を介して前記第１制御手段に接続されているとともに第７信号線を介して前記ヒートポンプ制御手段に接続されたシステム制御装置と、
屋外の気温を検出可能な外気温検出手段と、を追加した暖房システムであって、
前記第１コントローラには、前記システム制御装置が第２信号線にて接続あるいは前記第１制御手段が第３信号線にて接続されており、
前記ヒートポンプ制御手段と前記第２制御手段とは、第６信号線を介して接続されており、
前記システム制御装置は、前記第１信号線を介して前記第１制御手段からの情報あるいは前記第２信号線を介して前記第１コントローラからの情報を取得可能であり、取得した情報に基づいて、前記第７信号線を介して前記ヒートポンプ制御手段に情報を送信し、前記ヒートポンプ制御手段が前記第６信号線を介して前記第２制御手段へと情報を送信することで、前記第２暖房装置の動作を制御可能であり、
前記システム制御装置は、前記外気温検出手段を用いて検出した屋外の気温が、前記第２暖房装置の効率が所定効率以下となる所定温度以下である場合、前記第２暖房装置の動作を停止する、
暖房システム。
【発明の詳細な説明】
【技術分野】
【０００１】
本発明は、２種類の暖房装置を用いて室内を暖房する暖房システムに関する。
【背景技術】
【０００２】
近年では、床暖房装置とエアコンの２種類の暖房装置にて室内を暖房する暖房システムが普及している。
例えば特許文献１に記載された従来技術には、床暖房装置とエアコンを１台のコントローラ（操作盤）と、１台の制御装置にて制御する暖房システムが開示されている。この暖房システムでは、１台のコントローラと１台の制御装置にて、室温に応じてエアコンのＯＮ／ＯＦＦ制御やエアコンの出力増減を自動的に行って快適性および省エネルギー性を向上させている。
また特許文献２に記載された従来技術には、汎用構成を極力利用して、第１暖房装置（床暖房装置）と第２暖房装置（エアコン）を連動させる使い勝手の良い暖房システムが開示されている。
【先行技術文献】
【特許文献】
【０００３】
【特許文献１】特開平９−１５２１３９号公報
【特許文献２】特開２０１１−１２７８６０号公報
【発明の概要】
【発明が解決しようとする課題】
【０００４】
近年、エアコンには、エネルギー効率が比較的高い電気ヒートポンプ式空調機が主に利用されている。また床暖房装置には、都市ガス等を燃料とした燃焼熱源機を用いて暖房循環熱媒を加熱・循環させる方式が主に利用されている。
電気ヒートポンプ式空調機と燃焼式床暖房装置のエネルギー効率は、常温（２０［℃］前後の温度）では「電気ヒートポンプ式空調機の効率＞燃焼式床暖房装置の効率」である。
エネルギー効率を重視する際は、「電気ヒートポンプ式空調機の効率＞燃焼式床暖房装置の効率」の場合に電気ヒートポンプ式空調機のみを使用して暖房すれば良いことになる。しかし、室内の温度が快適温度に上昇しても、電気ヒートポンプ式空調機のみでは床の温度が低い場合があり、快適とは言い難い。快適性をより向上させるには、燃焼式床暖房装置と電気ヒートポンプ式空調機を適切に併用することが好ましい。
ところで、電気ヒートポンプ式空調機のエネルギー効率は、雰囲気温度（外気温度）の影響を大きく受ける。外気温度が所定温度以下（例えば０［℃］以下）になると、常温時とエネルギー効率が逆転し、「電気ヒートポンプ式空調機の効率＜燃焼式床暖房装置の効率」となる場合がある。このような場合は、できるだけ燃焼式床暖房装置を用いて暖房することが、エネルギー効率の観点からは好ましいことになる。
【０００５】
特許文献１及び特許文献２に記載された従来技術では、外気温に関する記載がなく、外気温にかかわらず室温のみに応じてエアコンのＯＮ／ＯＦＦ制御等を行っているので、外気温度が所定温度以下（例えば０［℃］以下）の場合はエネルギー効率が悪化していると推定される。
本発明は、このような点に鑑みて創案されたものであり、電気ヒートポンプ式暖房装置を含む２種類の暖房装置を用いた暖房システムにおいて、より効率良く室内を暖房することができる暖房システムを提供することを課題とする。
【課題を解決するための手段】
【０００６】
上記課題を解決するため、本発明に係る暖房システムは次の手段をとる。
まず、本発明の第１の発明は、流体である暖房循環熱媒を用いて室内の床を暖房可能な第１暖房装置と、温風を用いて前記室内を暖房可能な第２暖房装置と、前記第１暖房装置の単独作動を操作可能な第１コントローラと、前記第２暖房装置の単独作動を操作可能な第２コントローラと、を有するとともに、前記第１暖房装置は、前記床に配置される第１放熱体と、屋外に配置されて燃焼により前記暖房循環熱媒を加熱する燃焼熱源機と、にて構成されており、前記第２暖房装置は、前記室内に配置される第２放熱体と、屋外に配置される電気ヒートポンプと、にて構成されており、前記燃焼熱源機には、前記燃焼熱源機の動作を制御可能な第１制御手段が設けられており、前記第２放熱体には、前記第２暖房装置の動作を制御可能な第２制御手段が設けられている、暖房システムに対して、第１信号線を介して前記第１制御手段に接続されたシステム制御装置と、第４信号線を介して前記システム制御装置に接続された補助コントローラと、屋外の気温を検出可能な外気温検出手段と、を追加した暖房システムである。
前記第１コントローラには、前記システム制御装置が第２信号線にて接続あるいは前記第１制御手段が第３信号線にて接続されている。
そして、前記システム制御装置は、前記第１信号線を介して前記第１制御手段からの情報あるいは前記第２信号線を介して前記第１コントローラからの情報を取得可能であり、取得した情報に基づいて、前記第４信号線及び前記補助コントローラを介して前記第２制御手段に情報を送信することで、前記第２暖房装置の動作を制御可能であり、前記システム制御装置は、前記外気温検出手段を用いて検出した屋外の気温が、前記第２暖房装置の効率が所定効率以下となる所定温度以下である場合、前記第２暖房装置の動作を停止する。
次に、本発明の第２の発明は、流体である暖房循環熱媒を用いて室内の床を暖房可能な第１暖房装置と、温風を用いて前記室内を暖房可能な第２暖房装置と、前記第１暖房装置の単独作動を操作可能な第１コントローラと、前記第２暖房装置の単独作動を操作可能な第２コントローラと、を有するとともに、前記第１暖房装置は、前記床に配置される第１放熱体と、屋外に配置されて燃焼により前記暖房循環熱媒を加熱する燃焼熱源機と、にて構成されており、前記第２暖房装置は、前記室内に配置される第２放熱体と、屋外に配置される電気ヒートポンプと、にて構成されており、前記燃焼熱源機には、前記燃焼熱源機の動作を制御可能な第１制御手段が設けられており、前記第２放熱体には、前記第２暖房装置の動作を制御可能な第２制御手段が設けられている、暖房システムに対して、第１信号線を介して前記第１制御手段に接続されているとともに第５信号線を介して前記第２制御手段に接続されたシステム制御装置と、屋外の気温を検出可能な外気温検出手段と、を追加した暖房システムである。
前記第１コントローラには、前記システム制御装置が第２信号線にて接続あるいは前記第１制御手段が第３信号線にて接続されている。
そして、前記システム制御装置は、前記第１信号線を介して前記第１制御手段からの情報あるいは前記第２信号線を介して前記第１コントローラからの情報を取得可能であり、取得した情報に基づいて、前記第５信号線を介して前記第２制御手段に情報を送信することで、前記第２暖房装置の動作を制御可能であり、前記システム制御装置は、前記外気温検出手段を用いて検出した屋外の気温が、前記第２暖房装置の効率が所定効率以下となる所定温度以下である場合、前記第２暖房装置の動作を停止する。
次に、本発明の第３の発明は、流体である暖房循環熱媒を用いて室内の床を暖房可能な第１暖房装置と、温風を用いて前記室内を暖房可能な第２暖房装置と、前記第１暖房装置の単独作動を操作可能な第１コントローラと、前記第２暖房装置の単独作動を操作可能な第２コントローラと、を有するとともに、前記第１暖房装置は、前記床に配置される第１放熱体と、屋外に配置されて燃焼により前記暖房循環熱媒を加熱する燃焼熱源機と、にて構成されており、前記第２暖房装置は、前記室内に配置される第２放熱体と、屋外に配置される電気ヒートポンプと、にて構成されており、前記燃焼熱源機には、前記燃焼熱源機の動作を制御可能な第１制御手段が設けられており、前記第２放熱体には、前記第２暖房装置の動作を制御可能な第２制御手段が設けられており、前記電気ヒートポンプには、前記電気ヒートポンプの動作を制御可能なヒートポンプ制御手段が設けられている、暖房システムに対して、第１信号線を介して前記第１制御手段に接続されているとともに第７信号線を介して前記ヒートポンプ制御手段に接続されたシステム制御装置と、屋外の気温を検出可能な外気温検出手段と、を追加した暖房システムである。
前記第１コントローラには、前記システム制御装置が第２信号線にて接続あるいは前記第１制御手段が第３信号線にて接続されており、前記ヒートポンプ制御手段と前記第２制御手段とは、第６信号線を介して接続されている。
そして、前記システム制御装置は、前記第１信号線を介して前記第１制御手段からの情報あるいは前記第２信号線を介して前記第１コントローラからの情報を取得可能であり、取得した情報に基づいて、前記第７信号線を介して前記ヒートポンプ制御手段に情報を送信し、前記ヒートポンプ制御手段が前記第６信号線を介して前記第２制御手段へと情報を送信することで、前記第２暖房装置の動作を制御可能であり、前記システム制御装置は、前記外気温検出手段を用いて検出した屋外の気温が、前記第２暖房装置の効率が所定効率以下となる所定温度以下である場合、前記第２暖房装置の動作を停止する。
【０００７】
この第１〜第３の発明によれば、外気温検出手段にて検出した屋外の気温が所定温度以下である場合、電気ヒートポンプと第２放熱体にて構成された第２暖房装置の動作を停止させることで、より効率良く室内を暖房することができる。
【０００８】
また、本実施の形態に記載の暖房システムでは、前記外気温検出手段は、前記システム制御装置に接続されており、前記システム制御装置は、前記外気温検出手段からの検出信号に基づいて屋外の気温を検出する。
【０００９】
本実施の形態に記載の暖房システムでは、外気温検出手段がシステム制御装置に接続されている構成を有している。この場合、システム制御装置は、自身に接続された外気温検出手段にて外気温を容易に取り込むことができる。
【００１０】
また、本実施の形態に記載の暖房システムでは、前記外気温検出手段は、前記第１制御手段に接続されており、前記システム制御装置は、前記外気温検出手段からの検出信号に基づいた外気温情報を、前記第１制御手段及び前記第１信号線を介して取り込んで屋外の気温を検出する。
【００１１】
本実施の形態に記載の暖房システムでは、外気温検出手段が第１制御手段に接続されている構成を有している。例えば、すでに第１制御手段に外気温検出手段が接続されている場合、新たにシステム制御装置に外気温検出手段を設ける必要がない。この場合、システム制御装置は、第１信号線及び第１制御手段を介して外気温情報を取り込むことが可能である。
【図面の簡単な説明】
【００１２】
【図１】第１の実施の形態における暖房システム１Ａの構成を説明する図である。
【図２】システム制御装置５０の処理手順の例を説明するフローチャートである。
【図３】第２の実施の形態における暖房システム１Ｂの構成を説明する図である。
【図４】第３の実施の形態における暖房システム１Ｃの構成を説明する図である。
【図５】第４の実施の形態における暖房システム１Ｄの構成を説明する図である。
【図６】第５の実施の形態における暖房システム１Ｅの構成を説明する図である。
【図７】第６の実施の形態における暖房システム１Ｆの構成を説明する図である。
【図８】第７の実施の形態における暖房システム１Ｇの構成を説明する図である。
【発明を実施するための形態】
【００１３】
以下に本発明を実施するための形態を図面を用いて説明する。なお、図１、図３〜図８において、点線Ｒにて囲まれた内部は暖房するべき室内ＲＩを示し、点線Ｒにて囲まれた内部を除いた周囲は屋外ＲＯを示している。
●［第１の実施の形態における暖房システム１Ａ（図１、図２）］
まず図１を用いて本発明の暖房システム１Ａの第１の実施の形態における全体構成について説明する。
暖房システム１Ａは、第１暖房装置１０と、第２暖房装置２０と、第１コントローラ３０と、第２コントローラ４０と、システム制御装置５０と、を有している。
第１暖房装置１０はいわゆる床暖房装置であり、流体である暖房循環熱媒（例えば温水）を循環させて室内ＲＩの床を暖房可能な装置である。ユーザは第１コントローラ３０を操作することで第１暖房装置の作動（単独作動）を操作することができる。
また第２暖房装置２０はいわゆるエアコンであり、温風を用いて室内ＲＩを暖房可能な装置である。ユーザは第２コントローラ４０を操作することで第２暖房装置の作動（単独作動）を操作することができる。
なお、第１暖房装置１０と第２暖房装置２０とを連動させて動作させることで、効率良く室内ＲＩを暖房することが可能であるとともに、ユーザの快適性をより向上させることができる。
そこで、以降に説明する第１〜第７の実施の形態では、ユーザが第１コントローラ３０を操作すると、システム制御装置５０を介して第１暖房装置１０と第２暖房装置２０とが連動して作動するように構成されている。
【００１４】
第１暖房装置１０は、室内ＲＩの床に配置されて暖房循環熱媒を用いて放熱する第１放熱体１２と、屋外ＲＯに配置されて燃焼により暖房循環熱媒を加熱する燃焼熱源機１１と、にて構成されている。
燃焼熱源機１１は、第１制御手段１１Ａと、燃焼加熱手段１１Ｂと、熱交換器１１Ｃと、循環ポンプ１１Ｐと、弁１１Ｖと、を有している。
第１制御手段１１Ａは、内部にＣＰＵ等を備えており、信号線Ｓ１（第１信号線に相当）にてシステム制御装置５０と接続されて、システム制御装置５０との間で種々の情報を送受信することができる。またシステム制御装置５０は、信号線Ｓ２（第２信号線に相当）にて第１コントローラ３０と接続されており、第１コントローラ３０との間で種々の情報を送受信することができる。
この構成により、第１制御手段１１Ａは、第１コントローラ３０から入力された情報を、システム制御装置５０を介して取り込むことができる。
そして第１制御手段１１Ａは、第１コントローラ３０からの入力等に基づいて、燃焼加熱手段１１Ｂ、循環ポンプ１１Ｐ、弁１１Ｖ等を制御する。
【００１５】
燃焼加熱手段１１Ｂは、第１制御手段１１Ａからの制御信号に基づいて、燃料配管１０Ｇから供給される燃料（例えば都市ガス）を燃焼させて熱交換器１１Ｃ内の暖房循環熱媒を加熱する。
循環ポンプ１１Ｐは、第１制御手段１１Ａからの制御信号に基づいて、戻り配管１０Ｒを介して第１放熱体１２から放熱した後の暖房循環熱媒を吸い込むとともに熱交換器１１Ｃに向けて暖房循環熱媒を圧送することで暖房循環熱媒を循環させる。
弁１１Ｖは、第１制御手段１１Ａからの制御信号に基づいて、加熱した暖房循環熱媒を第１放熱体１２に供給する供給配管１０Ｑの開度量を調節し、暖房循環熱媒の供給量を調節する。
また第１放熱体１２は、供給配管１０Ｑから供給される暖房循環熱媒を用いて室内ＲＩの床に放熱し、放熱した後の暖房循環熱媒を戻り配管１０Ｒから燃焼熱源機１１に戻す。
【００１６】
第２暖房装置２０は、室内ＲＩの壁等に取り付けられて温風を用いて室内ＲＩを暖房可能な第２放熱体２２と、屋外ＲＯに配置されてヒートポンプ循環熱媒（例えばＣＯ2やＲ４１０Ａ（代替フロン冷媒））を加熱する電気ヒートポンプ２１と、にて構成されている。
第２放熱体２２は、受信手段２２Ａと、図示省略した制御手段を有しており、システム制御装置５０と信号線Ｓ４にて接続されたコントローラ５０Ａから出力された制御信号を受信手段２２Ａにて受信する。そして制御手段は、受信した制御信号に基づいて電気ヒートポンプ２１を制御する。
【００１７】
第１コントローラ３０は、第１暖房装置１０の単独作動を操作可能なコントローラであり、電源ＯＮ／ＯＦＦスイッチや暖房レベル（暖房温度を含む）設定手段等を備えている。なお第１コントローラ３０は、第１暖房装置１０と第２暖房装置２０の連動した作動を指示することも可能である。
ユーザが第１コントローラ３０にて電源ＯＮ／ＯＦＦスイッチをＯＦＦからＯＮ、またはＯＮからＯＦＦにした場合や、暖房レベル設定手段を操作すると、信号線Ｓ２を介してユーザの設定を含む設定情報が、第１コントローラ３０からシステム制御装置５０に送信される。更に設定情報は、信号線Ｓ１を介してシステム制御装置５０から第１制御手段１１Ａに送信され、信号線Ｓ４及びコントローラ５０Ａを介してシステム制御装置５０から受信手段２２Ａに送信される。
第２コントローラ４０は、第２暖房装置２０の単独作動を操作可能なコントローラであり、電源ＯＮ／ＯＦＦスイッチや暖房レベル（暖房温度を含む）設定手段等を備えている。
ユーザが第２コントローラ４０にて電源ＯＮ／ＯＦＦスイッチをＯＦＦからＯＮ、またはＯＮからＯＦＦにした場合や、暖房レベル設定手段を操作すると、ユーザの設定を含む設定情報が、無線にて第２コントローラ４０から受信手段２２Ａに向けて送信される。
【００１８】
システム制御装置５０は、信号線Ｓ１にて第１制御手段１１Ａと接続され、信号線Ｓ２にて第１コントローラ３０と接続され、信号線Ｓ４にてコントローラ５０Ａと接続されている。またシステム制御装置５０には、屋外の気温を検出可能な外気温検出手段６０が接続されており、システム制御装置５０は、外気温検出手段６０からの検出信号に基づいて、屋外ＲＯの気温を検出することができる。
コントローラ５０Ａは、第２暖房装置２０の受信手段２２Ａに向けて制御信号を無線にて送信する装置である。従って、第２暖房装置２０は、第２コントローラ４０からの信号に基づいて動作するとともに、コントローラ５０Ａからの信号に基づいて動作する。
例えばシステム制御装置５０は、ユーザが第１コントローラ３０から入力した設定を含む設定情報を信号線Ｓ２を介して受信すると、受信した設定情報に基づいて、第１暖房装置１０と第２暖房装置２０とを連動させて動作させる。
例えば、システム制御装置５０は、受信した設定情報に基づいて、第１暖房装置１０の作動を指示するための第１設定情報と、第２暖房装置２０の作動を指示するための第２設定情報を作成する。そしてシステム制御装置５０は、信号線Ｓ１を介して第１設定情報を第１制御手段１１Ａに送信し、信号線Ｓ４及びコントローラ５０Ａを介して第２設定情報を受信手段２２Ａに向けて送信する。
【００１９】
次に図２のフローチャートを用いて、第１の実施の形態の暖房システム１Ａにおけるシステム制御装置５０の処理手順について説明する。
図２のフローチャートに示す処理は、システム制御装置５０にて、所定タイミング（例えば１００ｍｓ毎）にて実行される。
ステップＳ１０にて、システム制御装置５０は、第１コントローラ３０から設定情報を受信したか否かを判定する。設定情報を受信した場合（Ｙｅｓ）はステップＳ１５に進み、設定情報を受信していない場合（Ｎｏ）は処理を終了する。
ステップＳ１５に進んだ場合、システム制御装置５０は、受信した設定情報に基づいて、電源ＯＮ／ＯＦＦスイッチがＯＮに設定されているか否かを判定する。電源ＯＮ／ＯＦＦスイッチがＯＮに設定されている場合（Ｙｅｓ）はステップＳ２０に進み、電源ＯＮ／ＯＦＦスイッチがＯＮに設定されていない場合（Ｎｏ（ＯＦＦに設定されている場合））はステップＳ４０Ｃに進む。
ステップＳ４０Ｃに進んだ場合、システム制御装置５０は、第２暖房装置２０を停止する指示を含む第２設定情報を、信号線Ｓ４及びコントローラ５０Ａを介して受信手段２２Ａに送信してステップＳ５０Ｃに進む。
そしてステップＳ５０Ｃにてシステム制御装置５０は、第１暖房装置１０を停止する指示を含む第１設定情報を、信号線Ｓ１を介して第１制御手段１１Ａに送信し、処理を終了する。
【００２０】
ステップＳ２０に進んだ場合、システム制御装置５０は、外気温検出手段６０からの検出信号に基づいて屋外ＲＯの温度（外気温）を検出してステップＳ３０に進む。
ステップＳ３０にて、システム制御装置５０は、検出した外気温が所定温度以下（例えば０［℃］以下）であるか否かを判定する。システム制御装置５０は、外気温が所定温度以下である場合（Ｙｅｓ）はステップＳ４０Ｂに進み、外気温が所定温度以下でない場合（Ｎｏ）はステップＳ４０Ａに進む。例えば外気温が０［℃］以下になると、電気ヒートポンプ２１のエネルギー効率が燃焼熱源機１１のエネルギー効率よりも低くなる場合がある。この場合は第２暖房装置２０を停止することが、エネルギー効率の観点からは好ましい。なお、所定温度は、０［℃］に限定されているのではなく、電気ヒートポンプ２１のエネルギー効率が燃焼熱源機１１のエネルギー効率よりも低くなる温度に、予め設定されている。
【００２１】
ステップＳ４０Ａに進んだ場合、システム制御装置５０は、受信した設定情報に基づいて、エネルギー効率と快適性を両立するように第１設定情報及び第２設定情報を作成する。そしてシステム制御装置５０は、信号線Ｓ４及びコントローラ５０Ａを介して第２暖房装置２０を動作させる第２設定情報を受信手段２２Ａに向けて送信し、ステップＳ５０Ａに進む。
ステップＳ５０Ａにて、システム制御装置５０は、信号線Ｓ１を介して第１暖房装置１０を動作させる第１設定情報を第１制御手段１１Ａに送信し、処理を終了する。
【００２２】
ステップＳ４０Ｂに進んだ場合、システム制御装置５０は、外気温に基づいて第２暖房装置２０を停止するように且つ第１暖房装置１０を動作させるように第１設定情報及び第２設定情報を作成する。そしてシステム制御装置５０は、信号線Ｓ４及びコントローラ５０Ａを介して第２暖房装置２０を停止させる第２設定情報を受信手段２２Ａに向けて送信し、ステップＳ５０Ｂに進む。
ステップＳ５０Ｂにて、システム制御装置５０は、信号線Ｓ１を介して第１暖房装置１０を動作させる第１設定情報を第１制御手段１１Ａに送信し、処理を終了する。
【００２３】
以上、第１の実施の形態における暖房システム１Ａでは、システム制御装置５０は、自身に接続された外気温検出手段６０を用いて検出した外気温に基づいて、適切に第２暖房装置２０を停止させることができる。これにより、電気ヒートポンプ２１のエネルギー効率が低い状態であることを適切に検出して第２暖房装置２０の動作を停止させることができる。
これにより、気づかない間にエネルギー効率が低いまま第２暖房装置２０を運転することを自動的に回避することができる。
【００２４】
●［第２の実施の形態における暖房システム１Ｂ（図３）］
次に図３を用いて、第２の実施の形態における暖房システム１Ｂについて説明する。図３に示す第２の実施の形態の暖房システム１Ｂは、図１に示す第１の実施の形態の暖房システム１Ａに対して、システム制御装置５０と第１コントローラ３０とが信号線Ｓ２にて接続されておらず、第１コントローラ３０と第１制御手段１１Ａとが信号線Ｓ３（第３信号線に相当）にて接続されている点が異なる。以下、第１の実施の形態との相違点について主に説明する。
【００２５】
システム制御装置５０は、第１コントローラ３０から設定情報を受信できないが、第１制御手段１１Ａ及び信号線Ｓ１を介して、第１コントローラ３０からの設定情報を受信することができる。
従って、図２に示すフローチャートに対して、ステップＳ１０にて、システム制御装置５０は、信号線Ｓ１を介して第１制御手段１１Ａから、第１コントローラ３０からの設定情報、あるいは第１制御手段１１Ａの動作状態と第１コントローラ３０からの設定情報を含む状態情報、を受信する。そしてシステム制御装置５０は、受信した設定情報あるいは状態情報に基づいて、第１制御手段１１Ａが第１コントローラ３０から設定情報を受信したか否かを判定する。設定情報を受信した場合はステップＳ１５に進み、設定情報を受信していない場合は処理を終了する。
ステップＳ１５以下の処理については、図２に示す第１の実施の形態のフローチャートと同じであるので、説明を省略する。
【００２６】
以上、第２の実施の形態における暖房システム１Ｂは、第１の実施の形態と同様、検出した外気温に基づいて適切に第２暖房装置２０を停止させることができる。
これにより、気づかない間にエネルギー効率が低いまま第２暖房装置２０を運転することを自動的に回避することができる。
【００２７】
●［第３の実施の形態における暖房システム１Ｃ（図４）］
次に図４を用いて、第３の実施の形態における暖房システム１Ｃについて説明する。図４に示す第３の実施の形態の暖房システム１Ｃは、図１に示す第１の実施の形態の暖房システム１Ａに対して、コントローラ５０Ａ及び信号線Ｓ４が省略され、第２放熱体２２に予め設けられている第２制御手段２２Ｂとシステム制御装置５０とが信号線Ｓ４ａにて接続されている点が異なる。以下、第１の実施の形態との相違点について主に説明する。
【００２８】
図２に示すフローチャートに対して、ステップＳ４０Ａ、Ｓ４０Ｂ、Ｓ４０Ｃにて、システム制御装置５０は、信号線Ｓ４ａを介して第２制御手段２２Ｂに、第２設定情報を送信する。
他のステップについては、図２に示す第１の実施の形態のフローチャートと同じであるので、説明を省略する。
【００２９】
以上、第３の実施の形態における暖房システム１Ｃは、第１の実施の形態と同様、検出した外気温に基づいて適切に第２暖房装置２０を停止させることができる。
これにより、気づかない間にエネルギー効率が低いまま第２暖房装置２０を運転することを自動的に回避することができる。
【００３０】
●［第４の実施の形態における暖房システム１Ｄ（図５）］
次に図５を用いて、第４の実施の形態における暖房システム１Ｄについて説明する。図５に示す第４の実施の形態の暖房システム１Ｄは、図３に示す第２の実施の形態の暖房システム１Ｂに対して、コントローラ５０Ａ及び信号線Ｓ４が省略され、第２放熱体２２に予め設けられている第２制御手段２２Ｂとシステム制御装置５０とが信号線Ｓ４ａにて接続されている点が異なる。以下、第２の実施の形態との相違点について主に説明する。
【００３１】
第２の実施の形態の処理に対して、図２におけるステップＳ４０Ａ、Ｓ４０Ｂ、Ｓ４０Ｃにて、システム制御装置５０は、信号線Ｓ４ａを介して第２制御手段２２Ｂに、第２設定情報を送信する。
他のステップについては、第２の実施の形態の処理と同じであるので、説明を省略する。
【００３２】
以上、第４の実施の形態における暖房システム１Ｄは、第２の実施の形態と同様、検出した外気温に基づいて適切に第２暖房装置２０を停止させることができる。
これにより、気づかない間にエネルギー効率が低いまま第２暖房装置２０を運転することを自動的に回避することができる。
【００３３】
●［第５の実施の形態における暖房システム１Ｅ（図６）］
次に図６を用いて、第５の実施の形態における暖房システム１Ｅについて説明する。図６に示す第５の実施の形態の暖房システム１Ｅは、図１に示す第１の実施の形態の暖房システム１Ａに対して、コントローラ５０Ａ及び信号線Ｓ４が省略され、第２放熱体２２に予め設けられている第２制御手段２２Ｂと、電気ヒートポンプ２１に予め設けられているヒートポンプ制御手段２１Ａとが信号線Ｓ６にて接続されている点が異なる。また、システム制御装置５０とヒートポンプ制御手段２１Ａとが信号線Ｓ４ｂにて接続されている点も異なる。以下、第１の実施の形態との相違点について主に説明する。
【００３４】
図２に示すフローチャートに対して、ステップＳ４０Ａ、Ｓ４０Ｂ、Ｓ４０Ｃにて、システム制御装置５０は、信号線Ｓ４ｂを介してヒートポンプ制御手段２１Ａに、第２設定情報を送信する。更に、ヒートポンプ制御手段２１Ａは、システム制御装置５０から受信した第２設定情報を、信号線Ｓ６を介して第２制御手段２２Ｂに送信する。
他のステップについては、図２に示す第１の実施の形態のフローチャートと同じであるので、説明を省略する。
【００３５】
以上、第５の実施の形態における暖房システム１Ｅは、第１の実施の形態と同様、検出した外気温に基づいて適切に第２暖房装置２０を停止させることができる。
これにより、気づかない間にエネルギー効率が低いまま第２暖房装置２０を運転することを自動的に回避することができる。
【００３６】
●［第６の実施の形態における暖房システム１Ｆ（図７）］
次に図７を用いて、第６の実施の形態における暖房システム１Ｆについて説明する。図７に示す第６の実施の形態の暖房システム１Ｆは、図３に示す第２の実施の形態の暖房システム１Ｂに対して、コントローラ５０Ａ及び信号線Ｓ４が省略され、第２放熱体２２に予め設けられている第２制御手段２２Ｂと、電気ヒートポンプ２１に予め設けられているヒートポンプ制御手段２１Ａとが信号線Ｓ６にて接続されている点が異なる。また、システム制御装置５０とヒートポンプ制御手段２１Ａとが信号線Ｓ４ｂにて接続されている点も異なる。以下、第２の実施の形態との相違点について主に説明する。
【００３７】
第２の実施の形態の処理に対して、ステップＳ４０Ａ、Ｓ４０Ｂ、Ｓ４０Ｃにて、システム制御装置５０は、信号線Ｓ４ｂを介してヒートポンプ制御手段２１Ａに、第２設定情報を送信する。更に、ヒートポンプ制御手段２１Ａは、システム制御装置５０から受信した第２設定情報を、信号線Ｓ６を介して第２制御手段２２Ｂに送信する。
他のステップについては、第２の実施の形態の処理と同じであるので、説明を省略する。
【００３８】
以上、第６の実施の形態における暖房システム１Ｆは、第２の実施の形態と同様、検出した外気温に基づいて適切に第２暖房装置２０を停止させることができる。
これにより、気づかない間にエネルギー効率が低いまま第２暖房装置２０を運転することを自動的に回避することができる。
【００３９】
●［第７の実施の形態における暖房システム１Ｇ（図８）］
次に図８を用いて、第７の実施の形態における暖房システム１Ｇについて説明する。図８に示す第７の実施の形態の暖房システム１Ｇは、図１に示す第１の実施の形態の暖房システム１Ａに対して、外気温検出手段６０がシステム制御装置５０ではなく第１制御手段１１Ａに接続されている点が異なる。以下、第１の実施の形態との相違点について主に説明する。
【００４０】
第１の実施の形態の処理に対して、ステップＳ２０にて外気温を取り込む際、システム制御装置５０は、外気温検出手段６０からの検出信号に基づいた外気温情報を、信号線Ｓ１及び第１制御手段１１Ａを介して取り込む。
他のステップについては、図２に示す第１の実施の形態のフローチャートと同じであるので、説明を省略する。
【００４１】
以上、第７の実施の形態における暖房システム１Ｇは、第１の実施の形態と同様、検出した外気温に基づいて適切に第２暖房装置２０を停止させることができる。
これにより、気づかない間にエネルギー効率が低いまま第２暖房装置２０を運転することを自動的に回避することができる。
また、すでに第１制御手段１１Ａに外気温検出手段６０が接続されている場合、新たにシステム制御装置５０に外気温検出手段６０を設ける場合に比較して、低廉に同様の効果を発揮することができる。
【００４２】
以上、第７の実施の形態では、第１の実施の形態に対して、外気温検出手段６０がシステム制御装置５０ではなく第１制御手段１１Ａに接続されている例を説明した。
なお、第２の実施の形態〜第６の実施の形態に対して、外気温検出手段６０がシステム制御装置５０ではなく第１制御手段１１Ａに接続されている例は、上記の第７の実施の形態と同様であるので、説明を省略する。
【００４３】
本発明の暖房システム１Ａ〜１Ｇは、本実施の形態で説明した外観、構成、構造、処理等に限定されず、本発明の要旨を変更しない範囲で種々の変更、追加、削除が可能である。
また、以上（≧）、以下（≦）、より大きい（＞）、未満（＜）等は、等号を含んでも含まなくてもよい。
また、本実施の形態の説明に用いた数値は一例であり、この数値に限定されるものではない。
【符号の説明】
【００４４】
１Ａ〜１Ｇ    暖房システム
１０      第１暖房装置
１１      燃焼熱源機
１１Ａ    第１制御手段
１１Ｂ    燃焼加熱手段
１１Ｃ    熱交換器
１１Ｐ    循環ポンプ
１１Ｖ    弁
１２      第１放熱体
２０      第２暖房装置
２１      電気ヒートポンプ
２２      第２放熱体
２２Ａ    受信手段
２２Ｂ    第２制御手段
３０      第１コントローラ
４０      第２コントローラ
５０      システム制御装置
５０Ａ    コントローラ
６０      外気温検出手段
ＲＩ      室内
ＲＯ      屋外
Ｓ１、Ｓ２、Ｓ３、Ｓ４、Ｓ４ａ、Ｓ４ｂ、Ｓ５、Ｓ６    信号線
【図１】
0005840526.tif 000002
【図２】
0005840526.tif 000003
【図３】
0005840526.tif 000004
【図４】
0005840526.tif 000005
【図５】
0005840526.tif 000006
【図６】
0005840526.tif 000007
【図７】
0005840526.tif 000008
【図８】
0005840526.tif 000009